(57)【要約】  発明は、ＷＬＡＮを利用可能な第一の移動端末とＷＬＡＮを利用可能な第二の移動端末との間の呼を設定するための通信ネットワークを操作するための方法に関する。通信ネットワークは、第一の交換ノードと、第二の交換ノードと、ゲートウェイ交換ノードと、前記ＷＬＡＮを利用可能な第一の移動端末にサービスを提供する第一のＷＬＡＮ  ＡＰと、前記ＷＬＡＮを利用可能な第二の移動端末にサービスを提供する第二のＷＬＡＮ  ＡＰとを有する。前記第一のＷＬＡＮ  ＡＰと前記第二のＷＬＡＮ  ＡＰは、例えば、ＤＴＡＰ設定メッセージへ、メディア転送がＷＬＡＮ  ＡＰから直接行われても良いことを示すＬＭＴ命令を挿入する。  【選択図】  図５
2010538522.tif 000002
【特許請求の範囲】
【請求項１】
ＷＬＡＮを利用可能な第一の移動端末とＷＬＡＮを利用可能な第二の移動端末との間の呼を設定するための通信ネットワークを動作させる方法であって、
前記通信ネットワークは、
第一の交換ノード（４０４、５０２、８０２）と、
第二の交換ノード（４０６、５０９、８０６）と、
ゲートウェイ交換ノード（４０８、５０９、８０９）と、
前記ＷＬＡＮを利用可能な第一の移動端末にサービスを提供する第一のＷＬＡＮ  ＡＰと、
前記ＷＬＡＮを利用可能な第二の移動端末にサービスを提供する第二のＷＬＡＮ  ＡＰと
を有し、
前記第一のＷＬＡＮ  ＡＰは、ＤＴＡＰ設定メッセージへ、メディア転送が直接前記第一のＷＬＡＮ  ＡＰから行われることを示す局所的メディア転送（ＬＭＴ）指示を挿入し、
前記第一の交換ノードは、前記第一のＷＬＡＮ  ＡＰから前記第一のＤＴＡＰ設定メッセージを受信し、
前記第一の交換ノードは、前記ＬＭＴ指示を呼確立メッセージに含ませ、前記ゲートウェイ交換ノードへ前記呼確立メッセージを送信し、
前記ゲートウェイ交換ノードは、前記第一の交換ノードから前記呼確立メッセージを受信し、前記第二の交換ノードへ前記呼確立メッセージを送信し、
前記第二の交換ノードは、前記ゲートウェイ交換ノードから前記呼確立メッセージを受信し、
前記第二の交換ノードは、前記ＬＭＴ指示を第二のＤＴＡＰ設定メッセージに含ませ、前記第二のＤＴＡＰ設定メッセージを前記第二のＷＬＡＮ  ＡＰへ送信し、
前記第二のＷＬＡＮ  ＡＰは、前記第二のＤＴＡＰ設定メッセージを受信し、
前記第二のＷＬＡＮ  ＡＰは、前記第二のＷＬＡＮ  ＡＰが局所的メディア転送の使用を承諾すれば、肯定応答ＬＭＴ指示を第一の呼確認メッセージに挿入し、
前記第二のＷＬＡＮ  ＡＰは、前記第一の呼確認メッセージを前記第二の交換ノードへ送信し、
前記第二の交換ノードは、前記第一の呼確認メッセージを前記第二のＷＬＡＮ  ＡＰから受信し、
前記第二の交換ノードは、前記肯定応答ＬＭＴ指示を情報メッセージへ含ませ、前記情報メッセージを前記ゲートウェイ交換ノードへ送信し、
前記ゲートウェイ交換ノードは、前記情報メッセージを前記第二の交換ノードから受信し、前記情報メッセージを前記第一の交換ノードへ送信し、
前記第一の交換ノードは、前記情報メッセージを前記ゲートウェイ交換ノードから受信し、
前記第一の交換ノードは、前記肯定応答ＬＭＴ指示を第二の呼確認メッセージへ挿入し、前記第二の呼確認メッセージを前記第一のＷＬＡＮ  ＡＰへ送信し、
前記第一のＷＬＡＮ  ＡＰは、前記第二のＷＬＡＮ  ＡＰへの、そして、前記第二のＷＬＡＮ  ＡＰからのメディア転送のために、前記第二のＷＬＡＮ  ＡＰから受信した前記肯定応答ＬＭＴ指示に含まれた情報を用い、
前記第二のＷＬＡＮ  ＡＰは、前記第一のＷＬＡＮ  ＡＰへの、そして前記第一のＷＬＡＮ  ＡＰからのメディア転送のために、前記第一のＷＬＡＮ  ＡＰから受信した前記ＬＭＴ指示に含まれた情報を用いる
ことを特徴とする方法。
【請求項２】
前記ＬＭＴ指示は、
局所的メディア転送が、前記呼に対して前記第一のＷＬＡＮ  ＡＰにより提供されたことを示すブーリアン値と、
前記第一のＷＬＡＮ  ＡＰと関連付けられたＩＰアドレスと、
前記第一のＷＬＡＮ  ＡＰと関連付けられたポート番号と
のうち、少なくとも一つを有することを特徴とする請求項１に記載の方法。
【請求項３】
前記肯定応答ＬＭＴ指示は、
局所的メディア転送が、前記呼に対して前記第二のＷＬＡＮ  ＡＰにより受け入れられたことを示すブーリアン値と、
前記第二のＷＬＡＮ  ＡＰと関連付けられたＩＰアドレスと、
前記第二のＷＬＡＮ  ＡＰと関連付けられたポート番号と
のうち、少なくとも一つを有することを特徴とする請求項１または２に記載の方法。
【請求項４】
前記ゲートウェイ交換ノードが、前記第一の交換ノードと同じＰＬＭＮに属する場合に限り、前記第一の交換ノードは、前記ＬＭＴ指示を前記呼確立メッセージへ含ませることを特徴とする請求項１乃至３のいずれか一項に記載の方法。
【請求項５】
前記ゲートウェイ交換ノードが、前記第二の交換ノードと同じＰＬＭＮに属する場合に限り、前記第二の交換ノードは、前記ＬＭＴ指示を前記第二のＤＴＡＰ設定メッセージへ含ませることを特徴とする請求項１乃至４のいずれか一項に記載の方法。
【請求項６】
前記通信ネットワークは更に、サービス制御エンティティを有し、
呼び出しノードは、前記ＬＭＴ指示を有するトリガメッセージを送信することによって前記サービス制御エンティティで実行するＩＮサービスを呼び出し、
前記ＩＮサービスは、前記呼に関連するメディアが、前記第一のＷＬＡＮ  ＡＰと前記第二のＷＬＡＮ  ＡＰとの間で直接転送されることができるか否かを前記呼び出しノードへ示し、
前記ＩＮサービスは、局所的メディア転送が前記第一のＷＬＡＮ  ＡＰと前記第二のＷＬＡＮ  ＡＰとの間で起こるか否かの示唆を前記呼び出しノードから受信する
ことを特徴とする請求項１乃至５のいずれか一項に記載の方法。
【請求項７】
前記呼び出しノードは、前記第一の交換ノード、前記第二の交換ノード、もしくは前記ゲートウェイ交換ノードであることを特徴とする請求項６に記載の方法。
【請求項８】
前記呼確立メッセージは、ＢＩＣＣプロトコル、もしくはＳＩＰプロトコルを用いて送信されることを特徴とする請求項１乃至７のいずれか一項に記載の方法。
【請求項９】
前記通信ネットワークは、ＧＳＭ、もしくはＵＭＴＳネットワークであることを特徴とする請求項１乃至８のいずれか一項に記載の方法。
【請求項１０】
ＷＬＡＮを利用可能な第一の移動端末とＷＬＡＮを利用可能な第二の移動端末との間で呼を設定する通信ネットワークと通信するサービス制御エンティティを動作させる方法であって、
交換ノードからＬＭＴ指示を有するＩＮトリガメッセージを受信し、
前記呼に関連したメディアが、第一のＷＬＡＮ  ＡＰと第二のＷＬＡＮ  ＡＰとの間で直接転送されることができるか否かを、前記交換ノードに指示し、
局所的メディア転送が、前記第一のＷＬＡＮ  ＡＰと前記第二のＷＬＡＮ  ＡＰとの間で実行されるか否かの示唆を、前記交換ノードから受信する
ことを特徴とする方法。
【請求項１１】
ＷＬＡＮを利用可能な第一の移動端末とＷＬＡＮを利用可能な第二の移動端末との間の呼を設定する通信ネットワークにおいて用いられる交換ノード（ＶＭＳＣ−Ａ）であって、
前記ＷＬＡＮを利用可能な第一の移動端末は、第一のＷＬＡＮ  ＡＰによってサービスを提供され、
前記交換ノードは、
前記第一のＷＬＡＮ  ＡＰからＬＭＴ指示を有する第一のＤＴＡＰ設定メッセージを受信し、
前記ＬＭＴ指示を呼確立メッセージへ含ませ、
前記呼確立メッセージをゲートウェイ交換ノードへ送信する
ように構成されることを特徴とする交換ノード。
【請求項１２】
通信ネットワークのユーザにインテリジェント・ネットワークサービスを提供するインテリジェント・ネットワークに対するサービス制御エンティティであって、
交換ノード（１０）と接続可能であり、
前記サービス制御エンティティは、
処理部（２４）と、
前記処理部（２０３）に接続された入力部（２０３）と、
前記処理部（２０３）に接続された出力部（２０４）と
を有し、
前記処理部（２０３）は、
ＬＭＴ指示を有するＩＮトリガメッセージを交換ノードから受信し、
呼に関連するメディアが、第一のＷＬＡＮ  ＡＰと第二のＷＬＡＮ  ＡＰとの間で直接転送されることができるか否かを、前記交換ノードに示し、
局所的メディア転送が、前記第一のＷＬＡＮ  ＡＰと前記第二のＷＬＡＮ  ＡＰとの間で実行されるか否かの示唆を前記交換ノードから受信する
ように構成されることを特徴とするサービス制御エンティティ。
【発明の詳細な説明】
【技術分野】
【０００１】
本願発明は、ＷＬＡＮを利用可能な第一の移動端末とＷＬＡＮを利用可能な第二の移動端末との間の呼を設定するための通信ネットワークを操作する方法に関する。
【背景技術】
【０００２】
現在の通信のすう勢は、移動電話や移動データサービスに対して、無線ＬＡＮ（Ｗｉｒｅｌｅｓｓ  Ｌｏｃａｌ  Ａｒｅａ  Ｎｅｔｗｏｒｋ：ＷＬＡＮ）を用いることである。ＷＬＡＮは、電話、データサービスなどに対し、これらに限られないが以下のものを含む、様々な方法で適用されている。
【０００３】
−ＷＬＡＮを介したＩＰマルチメディア・サブシステム（ＩＰ  Ｍｕｌｔｉｍｅｄｉａ  Ｓｕｂｓｙｓｔｅｍ：ＩＭＳ）アクセス：ＩＭＳ加入者は、ＩＭＳネットワークへのアクセスするために、ＷＬＡＮを介してＩＰ接続を得ることができる。ＩＭＳネットワークへのアクセスは、ＩＭＳサービスを要求するのに用いられる。ユーザは、従って音声呼や他のＩＭＳサービスを確立することができる。
【０００４】
−Ｕｎｌｉｃｅｎｓｅｄ  Ｍｏｂｉｌｅ  Ａｃｃｅｓｓ（ＵＭＡ）／Ｇｅｎｅｒｉｃ  Ａｃｃｅｓｓ  Ｎｅｔｗｏｒｋ（ＧＡＮ）：この方法は、ＧＳＭ加入者がＧＳＭコアネットワークへのアクセス方法として、ＧＳＭコアネットワークへアクセスするため、ＧＳＭ  Ｒａｄｉｏ  Ａｃｃｅｓｓ  Ｎｅｔｗｏｒｋ（ＲＡＮ）を用いる代わりに、ＷＬＡＮを用いることを必要とする。
【０００５】
上記両方の場合において、ＷＬＡＮアクセスは通常、デジタル加入者回線（Ｄｉｇｉｔａｌ  Ｓｕｂｓｃｒｉｂｅｒ  Ｌｉｎｅ：ＤＳＬ）やケーブルモデムのような一般的なＩＰ転送メカニズムによって拡張されるであろう。ＷＬＡＮを適用する上述の方法は、移動端末からのシグナリング及びメディア転送と移動端末へのシグナリングとメディア転送の両方において共通点を有し、ＷＬＡＮが転送メディアとして用いられる。シグナリングは、‘制御プレーン’により搬送され、メディアは、‘ユーザプレーン’により搬送される。
【０００６】
ＵＭＡが適用された際に、ＵＭＡが可能なＧＳＭ端末に対するシグナリングとメディア転送は、ＧＳＭコアネットワークを介して送られる。これは、とりわけ、シグナリング（制御プレーン）が端末とＭＳＣサーバとの間で実行し、メディア搬送（ユーザプレーン）が端末とメディアゲートウェイ（ＭＧＷ）との間で実行することを要求する。そこでメディア搬送は、ＵＭＡを用いる際に、常に対応するＧＭＳオペレータのＧＳＭコアネットワークにおけるＭＧＷを介して実行するであろう。しかしながら、例えば以下の場合では、メディアがＧＳＭコアネットワークを介して転送されることは望ましくない。
【０００７】
−企業施設におけるＵＭＡの利用：従業員は、ＵＭＡアクセスを備える携帯電話を有する。従業員がお互いの間で呼を確立する際に、メディア搬送がＧＳＭコアネットワークを介して実行することは必ずしも必要ではない。
【０００８】
−都市範囲のカバレッジを有するＷＬＡＮのためのＵＭＡの利用：公共のＷＬＡＮネットワークのユーザは、近接した人との呼を確立する。メディアは、この場合のＭＧＷを介して伝搬する必要は必ずしも無い。
【発明の概要】
【発明が解決しようとする課題】
【０００９】
本願発明の目的は、ＵＭＡを利用可能な移動端末間における通信を扱う際に、メディアが移動体通信システムのＭＧＷを通して流れることを避けることである。
【課題を解決するための手段】
【００１０】
上記目的を達成するために、ＷＬＡＮを利用可能な第一の移動端末とＷＬＡＮを利用可能な第二の移動端末との間の呼を設定するための通信ネットワークを動作させる方法であって、前記通信ネットワークは、第一の交換ノードと、第二の交換ノードと、ゲートウェイ交換ノードと、前記ＷＬＡＮを利用可能な第一の移動端末にサービスを提供する第一のＷＬＡＮ  ＡＰと、前記ＷＬＡＮを利用可能な第二の移動端末にサービスを提供する第二のＷＬＡＮ  ＡＰとを有し、
前記第一のＷＬＡＮ  ＡＰは、ＤＴＡＰ設定メッセージへ、メディア転送が直接前記第一のＷＬＡＮ  ＡＰから行われることを示す局所的メディア転送（ＬＭＴ）指示を挿入し、
前記第一の交換ノードは、前記第一のＷＬＡＮ  ＡＰから前記第一のＤＴＡＰ設定メッセージを受信し、
前記第一の交換ノードは、前記ＬＭＴ指示を呼確立メッセージに含ませ、前記ゲートウェイ交換ノードへ前記呼確立メッセージを送信し、
前記ゲートウェイ交換ノードは、前記第一の交換ノードから前記呼確立メッセージを受信し、前記第二の交換ノードへ前記呼確立メッセージを送信し、
前記第二の交換ノードは、前記ゲートウェイ交換ノードから前記呼確立メッセージを受信し、
前記第二の交換ノードは、前記ＬＭＴ指示を第二のＤＴＡＰ設定メッセージに含ませ、前記第二のＤＴＡＰ設定メッセージを前記第二のＷＬＡＮ  ＡＰへ送信し、
前記第二のＷＬＡＮ  ＡＰは、前記第二のＤＴＡＰ設定メッセージを受信し、
前記第二のＷＬＡＮ  ＡＰは、前記第二のＷＬＡＮ  ＡＰが局所的メディア転送の使用を承諾すれば、肯定応答ＬＭＴ指示を第一の呼確認メッセージに挿入し、
前記第二のＷＬＡＮ  ＡＰは、前記第一の呼確認メッセージを前記第二の交換ノードへ送信し、
前記第二の交換ノードは、前記第一の呼確認メッセージを前記第二のＷＬＡＮ  ＡＰから受信し、
前記第二の交換ノードは、前記肯定応答ＬＭＴ指示を情報メッセージへ含ませ、前記情報メッセージを前記ゲートウェイ交換ノードへ送信し、
前記ゲートウェイ交換ノードは、前記情報メッセージを前記第二の交換ノードから受信し、前記情報メッセージを前記第一の交換ノードへ送信し、
前記第一の交換ノードは、前記情報メッセージを前記ゲートウェイ交換ノードから受信し、
前記第一の交換ノードは、前記肯定応答ＬＭＴ指示を第二の呼確認メッセージへ挿入し、前記第二の呼確認メッセージを前記第一のＷＬＡＮ  ＡＰへ送信し、
前記第一のＷＬＡＮ  ＡＰは、前記第二のＷＬＡＮ  ＡＰへの、そして、前記第二のＷＬＡＮ  ＡＰからのメディア転送のために、前記第二のＷＬＡＮ  ＡＰから受信した前記肯定応答ＬＭＴ指示に含まれた情報を用い、
前記第二のＷＬＡＮ  ＡＰは、前記第一のＷＬＡＮ  ＡＰへの、そして前記第一のＷＬＡＮ  ＡＰからのメディア転送のために、前記第一のＷＬＡＮ  ＡＰから受信した前記ＬＭＴ指示に含まれた情報を用いる
ことを特徴とする方法が提供される。
【００１１】
実施形態において、前記ＬＭＴ指示は、
局所的メディア転送が、前記呼に対して前記第一のＷＬＡＮ  ＡＰにより提供されたことを示すブーリアン値と、
前記第一のＷＬＡＮ  ＡＰと関連付けられたＩＰアドレスと、
前記第一のＷＬＡＮ  ＡＰと関連付けられたポート番号と
のうち、少なくとも一つを有する。
【００１２】
前記肯定応答ＬＭＴ指示は、
局所的メディア転送が、前記呼に対して前記第二のＷＬＡＮ  ＡＰにより受け入れられたことを示すブーリアン値と、
前記第二のＷＬＡＮ  ＡＰと関連付けられたＩＰアドレスと、
前記第二のＷＬＡＮ  ＡＰと関連付けられたポート番号と
のうち、少なくとも一つを有する。
【００１３】
実施形態によると、前記ゲートウェイ交換ノードが、前記第一の交換ノードと同じＰＬＭＮに属する場合に限り、前記第一の交換ノードは、前記ＬＭＴ指示を前記呼確立メッセージへ含ませる。
【００１４】
実施形態によると、前記ゲートウェイ交換ノードが、前記第二の交換ノードと同じＰＬＭＮに属する場合に限り、前記第二の交換ノードは、前記ＬＭＴ指示を前記第二のＤＴＡＰ設定メッセージへ含ませる。
【００１５】
前記通信ネットワークは更に、サービス制御エンティティを有し、
呼び出しノードは、前記ＬＭＴ指示を有するトリガメッセージを送信することによって前記サービス制御エンティティで実行するＩＮサービスを呼び出し、
ＩＮサービスは、前記呼に関連するメディアが、前記第一のＷＬＡＮ  ＡＰと前記第二のＷＬＡＮ  ＡＰとの間で直接転送されることができるか否かを前記呼び出しノードへ示し、
ＩＮサービスは、局所的メディア転送が前記第一のＷＬＡＮ  ＡＰと前記第二のＷＬＡＮ  ＡＰとの間で起こるか否かの示唆を前記呼び出しノードから受信する。
【００１６】
前記呼び出しノードは、前記第一の交換ノード、前記第二の交換ノード、もしくは前記ゲートウェイ交換ノードであってよい。
【００１７】
上記に述べられた呼確立メッセージは、ＢＩＣＣプロトコル、もしくはＳＩＰプロトコルを用いて送信されてよい。
【００１８】
前記通信ネットワークは、ＧＳＭ、もしくはＵＭＴＳネットワークであってよい。
【００１９】
発明の態様によると、ＷＬＡＮを利用可能な第一の移動端末とＷＬＡＮを利用可能な第二の移動端末との間で呼を設定する通信ネットワークと通信するサービス制御エンティティを動作させる方法であって、
交換ノードからＬＭＴ指示を有するＩＮトリガメッセージを受信し、
前記呼に関連したメディアが、第一のＷＬＡＮ  ＡＰと第二のＷＬＡＮ  ＡＰとの間で直接転送されることができるか否かを、前記交換ノードに指示し、
局所的メディア転送が、前記第一のＷＬＡＮ  ＡＰと前記第二のＷＬＡＮ  ＡＰとの間で実行するか否かの示唆を、前記交換ノードから受信するようにも提供される。
【００２０】
本発明は、移動通信交換局（ＭＳＣ）のような交換ノードにも関連し、ＷＬＡＮを利用可能な第一の移動端末とＷＬＡＮを利用可能な第二の移動端末との間の呼を設定する通信ネットワークにおいて用いられる交換ノード（ＶＭＳＣ−Ａ）であって、
前記ＷＬＡＮを利用可能な第一の移動端末は、第一のＷＬＡＮ  ＡＰによってサービスを提供され、
前記交換ノードは、
前記第一のＷＬＡＮ  ＡＰからＬＭＴ指示を有する第一のＤＴＡＰ設定メッセージを受信し、
前記ＬＭＴ指示を呼確立メッセージへ含ませ、
前記呼確立メッセージをゲートウェイ交換ノードへ送信するように構成される。
【００２１】
本発明は、サービス制御局（ＳＣＰ）のようなインテリジェント・ネットワークのためのサービス制御エンティティにも関連し、通信ネットワークのユーザにインテリジェント・ネットワークサービスを提供するインテリジェント・ネットワークに対するサービス制御エンティティであって、
交換ノードと接続可能であり、
前記サービス制御エンティティは、
処理部と、
前記処理部に接続された入力部と、
前記処理部に接続された出力部と
を有し、
前記処理部は、
ＬＭＴ指示を有するＩＮトリガメッセージを交換ノードから受信し、
呼に関連するメディアが、第一のＷＬＡＮ  ＡＰと第二のＷＬＡＮ  ＡＰとの間で直接転送されることができるか否かを、前記交換ノードに示し、
局所的メディア転送が、前記第一のＷＬＡＮ  ＡＰと前記第二のＷＬＡＮ  ＡＰとの間で実行するか否かの示唆を前記交換ノードから受信するように構成される。
【００２２】
用語“ノード”とは、例えば他の複数の機能ノードと一緒のサーバにおいて実行する機能ノード（機能エンティティ）と同様に、物理的なネットワークノードの両方を含むことを注意されたい。
【００２３】
本願発明について、添付図面を参照し、いくつかの例の実施形態を用いてより詳細に説明する。
【図面の簡単な説明】
【００２４】
【図１】図1は、発明の実施形態に従う通信ネットワークの一部を概略的に示している。
【図２】図２は、ＭＳＣやＳＣＰの構造の簡略化した形式を示している。
【図３】図３は、従来技術に従う移動体通信ネットワークの一部を概略的に示している。
【図４】図４は、２つの移動端末が互いにＷＬＡＮ関連情報を通信する第一の実施形態に準じた通信ネットワークの一部を示している。
【図５】図５は、２つの移動端末が互いにＷＬＡＮ関連情報を通信する第二の実施形態に従う通信ネットワークの一部を示している。
【図６】図６は、実施形態に従う呼の設定のためのシグナルシーケンスダイアグラムの例を示している。
【図７】図７は、結果として得られるメディアパスと共にシグナルシーケンスダイアグラムの例を示している。
【図８】図８は、２つの移動端末が互いにＷＬＡＮ関連情報を通信する第三の実施形態に従う通信ネットワークの一部を示している。
【発明を実施するための形態】
【００２５】
本願発明は、例えば移動体通信ネットワークのような通信ネットワークに適用される。本願発明に対するそのような通信ネットワークの要部は、図１に概略的に示されている。図１は、Ｕｎｌｉｃｅｎｓｅｄ  Ｍｏｂｉｌｅ  Ａｃｃｅｓｓ（ＵＭＡ）を備えるＧＳＭ／ＵＭＴＳネットワークが表現している。ＧＳＭ／ＵＭＴＳネットワークは、図１の例のネットワークにおいて、ＭＳＣサーバ１０、無線ネットワーク制御装置（ＲＮＣ）１２、及びノードＢ１４、１６を含む。この例において、ＧＳＭ／ＵＭＴＳネットワークは更に、Ｕｎｌｉｃｅｎｓｅｄ  Ｍｏｂｉｌｅ  ａｃｃｅｓｓ  Ｃｏｎｔｒｏｌｌｅｒ（ＵＭＣ）１８とＷＬＡＮアクセスポイント（ＷＬＡＮ  ＡＰ）２０を含む。ＣＡＭＥＬアプリケーション部（ＣＡＰ）もしくはインテリジェント・ネットワーク（ＩＮ）アプリケーション部（ＩＮＡＰ）を介してＭＳＣサーバ１０との通信を行うサービス制御ポイント（ＳＣＰ）２４が、存在する。図１の例において、ＷＬＡＮアクセス機能とＵＭＡ機能を備える２つの移動局（ＭＳ）３０、３１はＭＳＣサーバ１０にアクセスするためにＷＬＡＮを用いる。２つの移動局３０、３１はそれぞれ、ユーザＡとユーザＢによって用いられる。
【００２６】
図１は、回線交換される（ＣＳ）呼が端末３０と端末３１との間に確立されるところの例を表現している。端末３０と端末３１はいずれも、同じＭＳＣサーバ１０によってサービスを提供され、同じＷＬＡＮ  ＡＰ２０を介してこのＭＳＣサーバ１０にアクセスする、ＵＭＡを利用可能な端末である。正規のＤＴＡＰシグナリングは、端末３０とＭＳＣサーバ１０との間、および端末３１とＭＳＣサーバ１０との間で実行される。なお、この例においてＭＳＣサーバ１０は、実際には、３つの部分の機能を有している。
【００２７】
−端末３０に対する在圏ＭＳＣ、すなわちＭＳＣサーバ１０は、端末３０に対する移動体通信発信（ＭＯ）ＭＳＣとして動作する。この機能は、ＶＭＳＣ−Ａとも呼ぶ。
【００２８】
−端末３１に終端する呼を扱うための端末３１に対するゲートウェイＭＳＣ。この機能は、ＧＭＳＣ−Ｂとも呼ぶ。
【００２９】
−端末３１に対する在圏ＭＳＣ、すなわちＭＳＣサーバ１０は、端末３１に対する移動体通信終端（ＭＴ）ＭＳＣとして動作する。この機能は、ＶＭＳＣ−Ｂとも呼ぶ。
【００３０】
従来のＵＭＡ方法は、この呼に対するメディアがＷＬＡＮを介してＷＬＡＮ  ＡＰ２０へルーティングされ、そこからＵＭＣ１８へルーティングされることを暗示している。図１によると、それからＵＭＣ１８は、メディアをＣＳ−ＭＧＷ１９へ中継するであろう。この場合において、端末３０からＣＳ−ＭＧＷ１９へのメディアストリームと、ＣＳ−ＭＧＷ１９から端末３１へのメディアストリームとがあるだろう。ＣＳ−ＭＧＷ１９へのこのメディア転送は、しばしば望ましいものではなく、必ずしも必要でない。
【００３１】
発明の実施形態によると、ＳＣＰ２４は、ユーザＡとユーザＢが同じＶＰＮグループもしくは同じ企業に属するか否か、および端末３０と端末３１が同じＷＬＡＮ  ＡＰ２０を介してＭＳＣサーバ１０へ接続されているかどうか、を判定するよう構成される。例えば、端末３０と端末３１が同じＷＬＡＮ  ＡＰ２０を介して接続されていたら、ＳＣＰ２４は、ＭＳＣサーバ１０にＷＬＡＮ  ＡＰ２０へメディアパスを少なくなるように指示する。その結果として、メディアは、もはやＣＳ−ＭＧＷ１９を介して中継されず、ＷＬＡＮ  ＡＰ２０を介して局所的にルーティングされる。この方法は、ＷＬＡＮ  ＡＰ２０とＵＭＣ１８とＣＳ−ＭＧＷ１９との間で不必要なメディア転送を節約する。端末３０と端末３１とは同じＷＬＡＮ  ＡＰによってサービスを受けないので、メディアをＷＬＡＮ  ＡＰ２０によりさらに他にルーティングする必要はない。その一方で、呼に関係するシグナリング、すなわちＤＴＡＰシグナリングは依然として、通常なものとしてＭＳＣサーバ１０を介してルーティングされる。結果として、ＭＳＣサーバ１０は、完全な呼のコントロールを維持する。
【００３２】
ＭＳＣサーバ１０とＳＣＰ２４は、図２における簡略化した形式にて示された構造であるネットワークユニット２０１として実装されると良い。ネットワークユニット２０１は、入力部２０２と接続された処理部２０３を含む。更に、処理部２０３は、出力部２０４に接続されている。これらは、処理部２０３が他のネットワークユニットや通信ネットワークにおける他の要素と通信することを可能にする。処理部２０３は、汎用の中央処理装置（ＣＰＵ）や相互接続したＣＰＵの組、もしくはその代わりとして専用の処理部、例えば単一処理部を含むことができる。また、メモリモジュール２０５が備えられ、データを格納することに用いられ、しかし、様々な処理機能に対し処理部２０３を用いることを可能とする命令を含むソフトウェアプログラムを格納するようにもできる。例えば、ソフトウェアプログラムの制御下にある一つのネットワークユニット２０１は、ＭＳＣサーバ１０の機能と同時にサービス交換機能（ＳＳＦ）を実行する。
【００３３】
呼が確立される際、ユーザＡ（Ａパーティとも呼ぶ）から呼を制御しているＩＮサービスは、ユーザＢ（Ｂパーティとも呼ぶ）の位置を判定するのに必要である。この情報は、ＳＣＰ２４がＷＬＡＮ  ＡＰ２０へ呼のメディア転送を少なくするように、ＭＳＣサーバ１０に指示できるか否かを判定するのに必要とされる。このＢパーティの位置の検出は、いくつかの方法にて実施されても良い。
【００３４】
実施形態によると、アクティブ・ロケーション・リトリーバル（Ａｃｔｉｖｅ  Ｌｏｃａｔｉｏｎ  Ｒｅｔｒｉｅｖａｌ）が用いられる。ＶＭＳＣ−Ｂによって、Ｂパーティが呼び出される前に、ページングシグナルがＶＭＳＣ−ＢからＢパーティへ送信される。ページングシグナルの送信は、Ｂパーティ（例えば、端末３１）の現在の位置がＶＭＳＣ−Ｂへ報告され、ＳＣＰ２４に利用可能とする効果を有する。
【００３５】
他の実施形態によると、ＶＭＳＣ−Ｂは、ＶＭＳＣ−Ａへの逆方向のＩＳＤＮユーザパート（ＩＳＵＰ）シグナリングにおいて、例えばＩＳＵＰアドレス完了メッセージ（Ａｄｒｅｓｓ  Ｃｏｍｐｌｅｔｅ  Ｍｅｓｓａｇｅ：ＡＣＭ）やＩＳＵＰ応答メッセージ（Ａｎｓｗｅｒ  Ｍｅｓｓａｇｅ：ＡＮＭ）においてのＢパーティの位置情報を含む。ＶＭＳＣ−ＡがＩＳＵＰ  ＡＣＭやＩＳＵＰ  ＡＮＭを受信する際に、それは、Ｂパーティの位置を識別する。この位置は、次にＡパーティのＳＣＰ２４へ報告する（ＩＳＵＰ  ＡＣＭに対する警告通知、もしくはＩＳＵＯ  ＡＮＭに対する応答通知において）。
【００３６】
ＭＳＣサーバ１０は、ＳＣＰ２４から、ＷＬＡＮ  ＡＰ２０へメディア転送を少なくするための指示を受信した際、ＭＳＣサーバ１０は、ＣＳ−ＭＧＷ１９にＡパーティ（例えば端末３０）のＭＳとＢパーティ（例えば、端末３１）との間のメディア転送がＭＧＷを介して実行される必要が無いことを通知する。結果として、ＭＧＷ１９は、前記メディア転送に対して、メディア転送リソースを割り当てる必要はない。加えて、ＭＳＣサーバ１０は、メディア転送がこれらのＷＬＡＮ  ＡＰの間で直接実行されるべきであることを、端末３０にサービスを提供するＷＬＡＮ  ＡＰ（すなわち、ＷＬＡＮ  ＡＰ２０）と端末３１にサービスを提供するＷＬＡＮ  ＡＰ（この場合、同じＷＬＡＮ  ＡＰ２０）との間で通知しなければならない。ＷＬＡＮ  ＡＰ２０は、ＭＳＣサーバ１０からこの指示を有効にした際、ＡパーティとＢパーティとの間のメディアストリームに対するＩＰプロキシとして動作する。なお、その他の呼に関するシグナリングは依然として、適用できるのであれば、ＭＳＣサーバ１０とＳＣＰ２４へ通常ルーティングに続く。従って、ＭＳＣサーバ１０とＳＣＰ２４は、適用できるのであれば、呼の完全な制御を維持する。
【００３７】
実施形態によると、ベアラ非依存呼制御（Ｂｅａｒｅｒ  Ｉｎｄｅｐｅｎｄｅｎｔ  Ｃａｌｌ  Ｃｏｎｔｒｏｌ：ＢＩＣＣ）は、メディア転送に対するＷＬＡＮへのフォールバックを制御するのに用いられる。ＢＩＣＣは、呼の確立を制御するための、例えばＧＳＭのような回路交換網にて用いられる呼制御シグナリング標準である。ＢＩＣＣは、機能的にＩＳＵＰと比肩される。ＢＩＣＣは、最初はＩＴＵによって開発され、後に３ＧＰＰによって導入される。ＢＩＣＣの特徴の一つは、“据え置きメディアゲートウェイ選択（ｄｅｆｅｒｒｅｄ  Ｍｅｄｉａ  Ｇａｔｅｗａｙ  ｓｅｌｅｃｔｉｏｎ）”である。この特徴は、図３を参照して説明する。図３において、発信元ＭＳＣサーバ３０１は、ＴＳＣサーバ３０２と呼ばれる次のＭＳＣサーバと通信をしている。発信元ＭＳＣサーバ３０１は、矢印３０３に示されるように、ＴＳＣサーバ３０２へＢＩＣＣ初期アドレスメッセージ（ＢＩＣＣ  ＩＡＭ）を送信する。次に、ＴＳＣサーバ３０２は最適なＭＧＷ（この場合はＭＧＷ３０５）を選択する。このＭＧＷ３０５は、ＰＳＴＮ／ＩＳＤＮネットワーク３０６に接続される。発信元ＭＳＣサーバ３０１はさらに、ＲＡＮ３０８へ接続されるＭＧＷと通信している。据え置きＭＧＷ選択により、ＣＳ呼に対する最適なＭＧＷ選択を促進する。次のＭＳＣサーバ（すなわち、ＴＳＣサーバ３０２）はＭＧＷ（すなわち、ＭＧＷ３０５）が選択されるまで、発信元ＭＳＣサーバ３０１は、ＭＧＷの選択を保留する。この方法において、発信元ＭＳＣサーバ３０１は、ＴＳＣサーバ３０２として同じＭＧＷ３０５を選択することを目的としても良い。ここに、ＭＳＣサーバ３０１は、矢印３０９にて示されているように、ＴＳＣサーバ３０２からＢＩＣＣアプリケーション転送機構（ＡＰＭ）メッセージを受信する。次に、ＭＳＣサーバ３０１は、矢印３１０にて示されているように、ＭＧＷ（すなわち、ＭＧＷ３０７）を選択し、ＭＧＷ３０７へ設定要求を送信するであろう。最後に、ＭＧＷ３０７は、３１１に示されているように、ＭＧＷ３０５に向かってベアラ確立を開始する。理想的な場合では、ＭＳＣサーバ３０１によって選択されたＭＧＷ３０７は、ＴＳＣサーバ３０２によって選択されたＭＧＷ３０５のように同じＭＧＷである。
【００３８】
実施形態によると、“据え置きＭＧＷ選択（ｄｅｆｅｒｒｅｄ  ＭＧＷ  ｓｅｌｅｃｔｉｏｎ）”の新しいタイプは、移動体機器から移動体機器への呼に対する、第一のＷＬＡＮ  ＡＰと第二のＷＬＡＮ  ＡＰとの間に適用される。これによりそれぞれのＷＬＡＮ  ＡＰ（ＷＬＡＮ  ＡＰ−ＡおよびＷＬＡＮ  ＡＰ−Ｂと呼ぶ）に、ＭＧＷを介して横断することなく、互いにメディアがそれらの間で中継されることを互いに指示することが可能になる。
【００３９】
図４は、本発明の実施形態に係るＭＳ−Ａ４０１とＭＳ−Ｂ４０２との間のメディア転送の例を示している。この例において、いわゆるＷＬＡＮ  ＡＰ−Ａ機能とＷＬＡＮ  ＡＰ−Ｂ機能は、一つかつ同じＷＬＡＮ  ＡＰ４０３を実装されているとする。ＭＳ−Ａ４０１は、ＷＬＡＮ  ＡＰ４０３とＵＭＣ４０５とを介して在圏ＭＳＣ４０４（ＶＭＳＣ−Ａと呼ぶ）と接続している。第二の移動局４０２は、図４で示されているように、ＷＬＡＮ４０３とＵＭＣ４０７とを介して在圏ＭＳＣ４０６ＶＭＳＣ−Ｂと呼ぶ）と接続している。ＶＭＳＣ−Ａ４０４とＶＭＳＣ−Ｂ４０６との両方が、ゲートウェイＭＳＣ−Ｂ（ＧＭＳＣ−Ｂ）４０８と通信する。メディア転送に対するＷＬＡＮを用いるための、ＷＬＡＮ  ＡＰ−ＡとＷＬＡＮ  ＡＰ−Ｂとの間のコミットメントは、ＤＴＡＰへの機能強化とＢＩＣＣへの機能強化の手段により達成される。ＭＳ−Ａ４０１は、ＶＭＳＣ−Ａ４０４に向かってＤＴＡＰ設定メッセージを送信することによって、呼を確立する際に、このＤＴＡＰ設定メッセージは、ＷＬＡＮ  ＡＰ−ＡとＵＭＣ４０５を通る。ＷＬＡＮ  ＡＰ−Ａは、ＤＴＡＰ設定メッセージへ、メディア転送がＷＬＡＮ  ＡＰ−Ａから直接行われることを示す指示を挿入することによって、ＤＴＡＰ設定メッセージを拡張する。この指示は、局所的メディア転送（ｌｏｃａｌ  ｍｅｄｉａ  ｔｒａｎｓｆｅｒ：ＬＭＴ）指示と呼ばれ、ＴＲＵＥ値が設定されるブーリアン値であっても良い。指示は、ＷＬＡＮ  ＡＰ−Ａに対応するＩＰアドレスやポート番号を含んでいても良い。ＩＰアドレスやポート番号は、ＷＬＡＮ  ＡＰ−Ａへ、あるいはＷＬＡＮ  ＡＰ−Ａからのメディア転送に対するＷＬＡＮ  ＡＰ−Ｂによって用いられても良い。（機能強化された）ＤＴＡＰ設定メッセージは、ＵＭＣ−Ａ４０５を通る。ＤＴＡＰ設定メッセージにおけるＬＭＴの存在のため、メディア転送は、ＷＬＡＮ  ＡＰ間にて直接中継可能であることがわかっているため、ＶＭＳＣ−Ａ４０４は、ＭＳ−Ａ４０１へ、あるいはＭＳ−Ａ４０１からのメディア転送に対してＭＧＷを割り当てる必要はなく（すなわち、ＶＭＳＣ−Ａ４０４はＭＧＷの選択を保留するだろう）、遠隔のＷＬＡＮ  ＡＰからの肯定応答を保留する。ＶＭＳＣ−Ａ４０４は、ＧＭＳＣ−Ｂ４０８とＶＭＳＣ−Ｂ４０６に向かってＢＩＣＣ  ＩＡＭにＬＭＴ指示をセットするであろう。ＶＭＳＣ−Ｂ４０６は、ＭＳ−Ｂ４０２へ向かうＤＴＡＰセットアップメッセージにＬＭＴ指示をセットする。メディア転送は、直接ＷＬＡＮ  ＡＰ間で中継されるだろうから、ＶＭＳＣ−Ｂ４０６は、ＭＳ−Ｂ４０２へ、あるいはＭＳ−Ｂ４０２からのメディア転送に対してＭＧＷを割り当てない。ＶＭＳＣ−Ｂ４０６からＭＳ−Ｂ４０２へ送られるＤＴＡＰ設定メッセージは、ＵＭＣ−Ｂ４０７とＷＬＡＮ  ＡＰ−Ｂを通る。ＷＬＡＮ  ＡＰ−Ｂは、ＭＳ−ＢへＤＴＡＰ設定を転送するのに先立って、ＤＴＡＰ設定からＬＭＴ指示を削除する。ＷＬＡＮ  ＡＰ−Ｂは、ＤＴＡＰ設定メッセージのＬＭＴ指示を受信することによって、ＷＬＡＮ  ＡＰ−Ａが局所的メディア転送を提供していたことを、このときに知る。この実施形態において、ＭＳ−Ｂ４０２は、従来の携帯端末であり、調整を必要��しない。ＭＳ−Ｂ４０２は、逆方向、すなわちＶＭＳＣ−Ｂ４０６に向かってＤＴＡＰ呼確認メッセージを送信することによって、呼確立要求の受信を確認する。ＤＴＡＰ呼確認メッセージは、ＷＬＡＮ  ＡＰ−ＢとＵＭＣ−Ｂ４０７を通る。ＷＬＡＮ  ＡＰ−ＢがＷＬＡＮ  ＡＰ−Ａから局所的メディア転送を受け付けたなら、次に、ＷＬＡＮ  ＡＰ−Ｂは、ＷＬＡＮ  ＡＰ４０３にて統合的に具体化された図４の例において、メディア転送が直接ＷＬＡＮ  ＡＰ−ＡとＷＬＡＮ  ＡＰ−Ｂとの間で起こることを示す肯定応答ＬＭＴ指示をＤＴＡＰ呼確認メッセージに挿入することによって、ＤＴＡＰ呼確認メッセージを拡張する。肯定応答ＬＭＴ指示は、ＷＬＡＮ  ＡＰ−Ｂと関連付けられたＩＰアドレスとポート番号とを含むこともできる。ＩＰアドレスとポート番号は、ＷＬＡＮ  ＡＰ−Ｂへ、あるいはＷＬＡＮ  ＡＰ−Ｂからのメディア転送に対してＷＬＡＮ  ＡＰ−Ａによって用いられることもできる。ＶＭＳＣ−Ｂ４０６は、拡張されたＤＴＡＰ呼確認メッセージの受信時に、ＶＭＳＣ−Ａ４０４にＢＩＣＣベアラ情報メッセージを渡すＧＭＳＣ−Ｂ４０８へＢＩＣＣベアラ情報メッセージを送信する。ＶＭＳＣ−Ｂ４０６は、このＢＩＣＣベアラ情報メッセージに肯定応答ＬＭＴ指示を含む。ＶＭＳＣ−Ａ４０４はＷＬＡＮ  ＡＰ−Ａに向かってＤＴＡＰ呼確認メッセージを送信する。このＤＴＡＰ呼確認メッセージは、ＤＴＡＰ呼確認メッセージにおける前記応答確認ＬＭＴ指示を受信することによって、ＵＭＣ−Ａ４０５を通る。ＷＬＡＮ  ＡＰ−Ａは、ＷＬＡＮ  ＡＰ−Ｂが局所的メディア転送を受け付けたことを、このときに認識する。
【００４０】
警告メッセージと応答メッセージの次の処理は、当業者に知られるように行われるであろう。応答メッセージは、ＭＳ−Ｂ４０２からＭＳ−Ａ４０１へ送信される際に、以下のメディアパスが確立される。
【００４１】
（１）ＭＳ−Ａ４０１は、前記ＷＬＡＮ  ＡＰ−Ａへ、あるいはＷＬＡＮ  ＡＰ−Ａからのメディア転送のためにＷＬＡＮ接続を用いる。
【００４２】
（２）ＷＬＡＮ  ＡＰ−Ａは、ＷＬＡＮ  ＡＰ−Ｂへ、あるいはＷＬＡＮ  ＡＰ−Ｂからのメディア転送のためにＷＬＡＮ  ＡＰ−Ｂから受信した肯定応答ＬＭＴ指示において含まれるＩＰアドレスとポート番号を用いる。
【００４３】
（３）ＷＬＡＮ  ＡＰ−Ｂは、ＷＬＡＮ  ＡＰ−Ａへ、あるいはＷＬＡＮ  ＡＰ−Ａからのメディア転送のためにＷＬＡＮ  ＡＰ−Ａから受信したＬＭＴ指示に含まれるＩＰアドレスとポート番号を用いる。
【００４４】
（４）ＭＳ−Ｂ４０２は、ＷＬＡＮ  ＡＰ−Ｂへ、あるいはＷＬＡＮ  ＡＰ−Ｂからのメディア転送のためにＷＬＡＮ  ＡＰ−ＢとのＷＬＡＮ接続を用いる。
【００４５】
ＶＭＳＣ−Ａ４０４は、ＧＭＳＣ−Ｂ４０８がＶＭＳＣ−Ａ４０４と同じＰＬＭＮに属していないか、もしくはＭＳ−Ｂ４０２がＶＭＳＣ−Ａ４０４と同じＰＬＭＮに属していないかを確かめることができる。そのような場合において、ＶＭＳＣ−Ａ４０４は、ＢＩＣＣ  ＩＡＭにＬＭＴ指示を含む。ＧＭＳＣ−Ｂ４０８は、呼がＧＭＳＣ−Ｂ４０８の呼よりも他のＰＬＭＮから発信されるか、もしくはＭＳ−Ａ４０１がＧＭＳＣ−Ｂ４０８と同じＰＬＭＮに属していないかを確かめることができる。そのような場合において、ＶＭＳＣ−Ｂ４０６は、ＤＴＡＰ設定メッセージにおいてＬＭＴ指示を含まないように決定することができる。上記の場合において、局所的メディア転送は、ＷＬＡＮ  ＡＰ−Ｂへ提供されることはないだろう。呼確立は、例えば、据え置きＭＧＷ選択のような先行技術に定義されているような方法にフォールバックし、これによりメディア転送は依然として、ＭＧＷを介して実行する。
【００４６】
ＷＬＡＮ  ＡＰ−Ｂ４０３が局所的メディア転送をサポートしないのであれば、ＤＴＡＰ呼確認メッセージに肯定応答ＬＭＴ指示を含まないであろう。代わりに、ＷＬＡＮ  ＡＰ−Ｂ４０３は、局所的メディア転送をサポートできるかもしれないが、ＤＴＡＰ呼確認メッセージに肯定応答ＬＭＴ指示を含まない場合において、何らかの理由で、この呼に対する局所的メディア転送を受け付けできないか、もしくは受け付けないと判定するかもしれない。そのような場合、逆方向ＤＴＡＰシグナリングとＢＩＣＣシグナリングとは、肯定応答ＬＭＴ指示を含んでいない。呼確認は、据え置きＭＧＷ選択のような先行技術に定義されているようなＭＧＷへと逆戻りする。
【００４７】
更に本願発明の実施形態において、ＭＳ−ＡとＭＳ−Ｂとの間の呼確立はインテリジェント・ネットワーク（ＩＮ）サービスを前提としている。ＩＮサービスは、ＶＭＳＣ−Ａ４０４と、ＧＭＳＣ−Ｂ４０８と、ＶＭＳＣ−Ｂとのうちの１つ以上でにて呼び出される。メディアがＷＬＡＮ  ＡＰ−Ａ４０３とＷＬＡＮ  ＡＰ−Ｂ４０３との間で中継されることを示すＬＭＴ指示は、ＶＭＳＣ−Ａ４０４、ＧＭＳＣ−Ｂ４０８、およびＶＭＳＣ−Ｂ４０６の間でＢＩＣＣシグナリングを介して転送される。ＩＮサービスが呼の制御をしていた際に、ＩＮサービスが要求されたＭＳＣは、ＬＭＴ指示をＩＮサービスへ報告することができる。これは、ＩＮサービスが局所的メディア転送を許可するか否かの判定を手助けする。もしＩＮサービスが、局所的メディア転送は許可されないと決定したら、そのときＩＮサービスは、ＢＩＣＣシグナリングからＬＭＴ指示を削除する。呼確立は次に、正規の保留されたＭＧＷ選択へフィードバックするであろう。
【００４８】
メディアに対するＷＬＡＮによる中継は、図５に示されているように、ＡパーティとＢパーティが異なるＷＬＡＮ  ＡＰへアタッチされている際にも、適用できる。図５において、第一の移動局５０１は、ＷＬＡＮ  ＡＰ５０３とＵＭＣ５０４を介してＶＭＳＣ−Ａ５０２に信号を送る。第二の移動局５０５は、ＷＬＡＮ  ＡＰ５０７とＵＭＣ５０８を介してＶＭＳＣ−Ｂ５０６に信号を送る。ＶＭＳＣ−Ａ５０２とＶＭＳＣ−Ｂ５０６のいずれもがＧＭＳＣ−Ｂ５０９と通信している。ＰＬＭＮオペレータは、２つのＷＬＡＮ  ＡＰ５０３、５０７が同じ企業に属する場合に、メディアが２つのＷＬＡＮ  ＡＰ５０３、５０７の間で転送されるポリシーを適用することができる。他のポリシーは、ＷＬＡＮ  ＡＰ５０３、５０７が同じＵＭＣに接続されなければならないかもしれない。図５において、呼に関するシグナリング（ＤＴＡＰ）は、ＲＡＮを介して転送される。メディアは、図５の破線にて示されているように、２つのＷＬＡＮ  ＡＰ５０３、５０７を介して転送される。
【００４９】
図６は、実施形態に係る呼を設定するためのシグナルシーケンス図の例を示している。図６を見ても分かるように、ＬＭＴ指示は、ＷＬＡＮ  ＡＰ−Ｂの方向にＢＩＣＣ  ＩＡＭメッセージとＤＴＡＰ設定メッセージを送信することによって、転送される。もしＷＬＡＮ  ＡＰ−Ｂが、局所的メディア転送を用いるであろうことを決定していたら、ＷＬＡＮ  ＡＰ−Ａに肯定応答ＬＭＴ指示を送信するであろう。一度、ＷＬＡＮ  ＡＰ−ＡとＷＬＡＮ  ＡＰ−Ｂのいずれもが、局所的メディア転送を用いるとコミットされると、接続は、図６から分かるように、連続メッセージ、警告メッセージ、および応答メッセージの送信によって、確立されるであろう。
【００５０】
図７は、図６によって示されたシグナリングの結果であるメディアパスと共にシグナルシーケンス図の例を示している。
【００５１】
本願発明は、今までのところ、メディアに対するＷＬＡＮ中継がＵＭＡと組み合わせて用いられることを提案している。メディアに対するＷＬＡＮ中継は、しかしながら、図８に示すように、標準ＲＡＮ／ＵＴＲＡＮと組み合わせても用いられる。図８は、標準ＵＭＴＳ  ＵＴＲＡＮを介して、ＵＥ−Ａ８０１（すなわち、ユーザＡのユーザ機器）と呼ばれる第一のＵＭＴＳ端末とＶＭＳＣ−Ｂ８０６の間と、ＵＥ−Ｂ８０５と呼ばれるＵＭＴＳ端末とＶＭＳＣ−Ｂ８０６の間とのＤＴＡＰシグナリングを反映している。ＵＥ−Ａ８０１とＵＥ−Ｂ８０５は、ＷＬＡＮ  ＡＰ８１０、８１１に示されているように、ＷＬＡＮアクセスも有する。図８は、ユーザ機器８０１、８０５と無線ネットワークとの間のＡＰを形成するノードＢ８０３とノードＢ８０７も示している。図８は更に、２つの無線ネットワーク制御装置（ＲＮＣ）８０４、８０８も示し、一つのＲＮＣは１以上のノードＢを制御することができる。図４と図５とを参照して述べられた方法と同様で、ＵＥ−Ａ８０１とＵＥ−Ｂ８０５は、ＬＭＴ指示を互いに交換できる。実施形態において、ＵＥ−Ａ８０１は、ＷＬＡＮ  ＡＰ−Ａ８１０を介してＩＰ接続を確立する。ＵＥ−Ａ８０１は、メディアがＵＥ−Ａ８０１へ転送されるＷＬＡＮ  ＡＰ−Ａ８１０を介して、ＩＰアドレスとポート番号を受信する。ＵＥ−Ａが呼を確立する際に、ＩＰアドレスとポート番号を有するＬＭＴ指示をＤＴＡＰ設定メッセージに含むであろう。ＬＭＴ指示ひいてはＩＰアドレスとポート番号は、ＵＥ−Ｂ８０５へ転送され、ＵＥ−Ｂ８０５がＵＥ−Ａ８０１へのメディアの転送に対するＩＰアドレスとポート番号を用いることを容易にするであろう。
【００５２】
ＵＥ−Ｂ８０５は、ＷＬＡＮ  ＡＰ−Ｂ８１１を介してＩＰ接続を確立する。ＵＥ−Ｂ８０５は、メディアがＵＥ−Ｂ８０５へ転送されるＷＬＡＮ  ＡＰ−Ｂ８１１を介して、ＩＰアドレスとポート番号を受信する。ＵＥ−Ｂ８０５は呼を受信する際に、ＩＰアドレルとポート番号とを有する肯定応答ＬＭＴ指示をＤＴＡＰ呼確認メッセージへ含める。肯定応答ＬＭＴ指示ひいてはＩＰアドレスとポート番号は、ＵＥ−Ａ８０１へ転送され、ＵＥ−Ａ８０１がＵＥ−Ｂ８０５へのメディアの転送に対するＩＰアドレスとポート番号を用いることを容易にするであろう。呼のメディアコンポーネント、すなわちユーザプレーンは現在、ＷＬＡＮ  ＡＰ８１０、８１１それぞれを介して中継されることが可能である。この実施形態によると、呼に関するシグナリング（ＤＴＡＰ）は、図８の太線に示されているように、ＵＴＲＡＮを介して転送され、メディアは、図８の破線に示されているように、ＷＬＡＮ  ＡＰを介して転送される。もしＷＬＡＮインフラが、例えば企業自身のＷＬＡＮインフラである場合、その結果、これはより低い通話料へと導くことになる。さらにこの実施形態の利点は、オペレータがＵＭＡを展開する必要がない。従って、ＷＬＡＮを介するメディア転送の利点は、少ない投資で実現することができる。
【００５３】
一つのＷＬＡＮ  ＡＰにおける局所的、もしくは２つのＷＬＡＮ間のメディアストリームの接続は、メディアストリームとの対話が要求されないことが必要である。対話が要求されることができる例は、以下の通りである。
【００５４】
・合法的遮断：まず、企業の施設内におけるユーザ間で確立される呼は、合法的遮断がなされるべきではない。とはいえ、必要であれば、合法的遮断は常にこれらの場合に対して可能とされるべきである。次に、（１）合法的遮断が適用されるための呼は、ＷＬＡＮ  ＡＰにおいて局所的に接続されるべきでなく、（２）合法的遮断が呼に対し要求される際に、例えば、ＭＳＣサーバ１０がドロップバック（ｄｒｏｐ  ｂａｃｋ）を取り消すようにＷＬＡＮ  ＡＰへ指示するべきであり（言い換えれば、ＷＬＡＮ  ＡＰが再度ＭＧＷを介して呼をルーティングするように指示されるべきであり）、（３）ＷＬＡＮ  ＡＰは、ＡパーティとＢパーティからメディアストリームを二重化し、エンティティを記録する合法的遮断にこれらのメディアストリームを送信する指示を取得すべきである。
【００５５】
・ユーザ対話：告知が、呼の間に行われることを必要であるかもしれない。この場合、ＭＳＣサーバ１０は、ＷＬＡＮ  ＡＰへ、ＣＳ−ＭＧＷ１９を介して一時的に呼を接続するための指示を与えることができる。
【００５６】
本願発明は、いくつかの例の実施形態を参照して上記に述べた。当業者に対し明らかであるように、添付した請求項に定義されている本願発明の範囲から逸脱することなく、様々な変更や補正を行うことができる。
【００５７】
［略語の説明］
ＡＣＭ      アドレス完了メッセージ
ＢＩＣＣ    ベアラ非依存呼制御
ＣＡＭＥＬ  移動体網高度ロジック向けカスタム化アプリケーション
ＣＡＰ      ＣＡＭＥＬ応用部
ＣＳ        回線交換される
ＧＭＳＣ    関門移動通信交換局
ＧＳＭ      Ｇｌｏｂａｌ  Ｓｙｓｔｅｍ  ｆｏｒ  Ｍｏｂｉｌｅ  Ｃｏｍｍｕｎｉｃａｔｉｏｎｓ
ＩＡＭ      初期アドレスメッセージ
ＩＮ        インテリジェント・ネットワーク
ＩＮＡＰ    ＩＮアプリケーション部
ＩＳＤＮ    サービス総合デジタル網
ＩＳＵＰ    ＩＳＤＮユーザ部
ＬＡＮ      ローカル・エリア・ネットワーク
ＭＳ        移動局
ＭＳＣ      移動通信交換局
ＳＣＰ      サービス制御局
ＳＩＰ      セッション開始プロトコル
ＳＳＦ      サービス交換機能
ＵＥ        ユーザ機器
ＵＭＡ      Ｕｎｌｉｃｅｎｓｅｄ  Ｍｏｂｉｌｅ  Ａｃｃｅｓｓ
ＵＭＣ      Ｕｎｌｉｃｅｎｓｅｄ  Ｍｏｂｉｌｅ  ａｃｃｅｓｓ  Ｃｏｎｔｒｏｌｌｅｒ
ＷＬＡＮ    無線ＬＡＮ
【図１】
2010538522.tif 000003
【図２】
2010538522.tif 000004
【図３】
2010538522.tif 000005
【図４】
2010538522.tif 000006
【図５】
2010538522.tif 000007
【図７】
2010538522.tif 000008
【図８】
2010538522.tif 000009
【図６】
2010538522.tif 000010
【国際調査報告】
2010538522.tif 000011
2010538522.tif 000012